(57)【特許請求の範囲】
【請求項１】
扉にボルトで固定されるように内部ケース（１１）の底面に底板（１４）がボルトで固定されて内部を密閉させ、前記内部ケース（１１）の両側面に形成された固定フレーム（１２）の前面に固定突起（１２ｂ）が突出され、前記内部ケース（１１）の背面の内側には係止溝（１２ｃ）が形成され、前記扉に固定された内部ケース（１１）を外部から強制的に取り外せないように外部ケース（１６）を係合するが、前記外部ケース（１６）の内側に形成された固定溝（１６ａ）に内部ケース（１１）の固定突起（１２ｂ）が嵌着され、前記外部ケース（１６）の背面の内側に形成された係止突起（１６ｂ）が内部ケース（１１）の係止溝（１２ｃ）に固定されるケース（１０）と、
前記内部ケース（１１）に外部ハンドル（２１）の前面に形成された作動レバー（２２）の一方の端がヒンジ軸により固定され、前記外部ハンドル（２１）の他方の端は外部ケース（１６）の背面に延び、前記内部ケース（１１）と底板（１４）との間にラッチ（２３）が配設され、前記ラッチ（２３）の背面に係合されたヒンジ軸に外部ハンドル（２１）の作動レバー（２２）が密着されてヒンジ軸及びラッチ（２３）を背面に移動させて扉を開閉する開閉手段（２０）と、
前記底板（１４）の背面の内側に固定プレート（３１）が嵌め込まれ、前記固定プレート（３１）の背面に押付誘導突起（３２）が上部に突出され、前記固定プレート（３１）の内側に回転カム（３４）の底面が貫通して底板（１４）の下端に突出され、前記回転カム（３４）の前面の両側には回転突起（３５）が形成されて固定プレート（３１）を底板（１４）に密着させ、前記回転突起（３５）の中央に形成された施錠溝（３５ａ）にガイド突起（３５ｂ）が前面に延び、前記ラッチ（２３）のヒンジ軸に施錠プレート（３６）が固定されて前面に形成された押圧部（３６ａ）のシーソー作動により背面に形成された固定部（３６ｂ）が回転カム（３４）の施錠溝（３５ａ）に挿抜され、前記外部ケース（１６）の上板にキースピンドル（３８）及びキーハウジング（３９）が取着されてキーハウジング（３９）の底面に突出された施錠突起（３９ａ）が押圧部（３６ａ）を押し込んで解放する施錠手段（３０）と、
前記底板（１４）に突出された回転カム（３４）の内部に内部ハンドル（４１）の回転軸（４２）が嵌め込まれ、前記内部ハンドル（４１）を回転させると、回転カム（３４）の回転突起（３５）が施錠プレート（３６）の固定部（３６ｂ）を持ち上げて固定部（３６ｂ）がガイド突起（３５ｂ）から引き抜かれながら回転カム（３４）の回転突起（３５）が押付誘導突起（３２）を背面に押し付ける動作によりラッチ（２３）の施錠状態を解錠する解錠手段（４０）と、
を備えることを特徴とする冷凍冷蔵庫の扉用施解錠装置。
【請求項２】
前記ケース（１０）は、内部ケース（１１）の両側面に固定フレーム（１２）を形成し、前記固定フレーム（１２）にボルト孔（１２ａ）を形成して内部ケース（１１）を扉に固定し、前記内部ケース（１１）の前面には側面フレーム（１３）が上部に突出されながら前面及び底面が開かれており、前記側面フレーム（１３）の一方の端にヒンジ軸が係合して外部ハンドル（２１）を固定し、前記ヒンジ軸が係合する側面フレーム（１３）の背面の両側面にガイド板（１３ａ）を形成して施錠プレート（３６）が捻れることを防ぎ、前記ガイド板（１３ａ）の前面に配設される側面フレーム（１３）の内側にバネ支持板（１３ｂ）を形成することを特徴とする請求項１に記載の冷凍冷蔵庫の扉用施解錠装置。
【請求項３】
前記側面フレーム（１３）の前面の内側上部に摺動板（１７）が配設されることを特徴とする請求項２に記載の冷凍冷蔵庫の扉用施解錠装置。
【請求項４】
前記底板（１４）は内部ケース（１１）とボルトで固定され、前記底板（１４）の上部の内側に載置部（１５）が形成されて固定プレート（３１）が嵌め込まれ、前記載置部（１５）にカム孔（１５ａ）が穿孔され、前記カム孔（１５ａ）の前面に支持突起（１５ｂ）が形成されて施錠プレート（３６）の固定部（３６ｂ）の底面を支持することを特徴とする請求項１に記載の冷凍冷蔵庫の扉用施解錠装置。
【請求項５】
前記ラッチ（２３）は、前面に係止金具（２４）が延設され、前記係止金具（２４）の内部に弾性バネ（２５）の一方の端が密着され、他方の端はバネ支持板（１３ｂ）に密着されてラッチ（２３）を押し込んで前面に移動させ、前記ラッチ（２３）の背面にヒンジ軸が係合し、前記ヒンジ軸が係合するラッチ（２３）の底面に移動突起（２６）が突出されて固定プレート（３１）の両側面に形成された第１の移動溝（３３）に沿って移動し、前記第１の移動溝（３３）の内側には第２の移動溝（３３ａ）が形成されて底板（１４）の支持突起（１５ｂ）に沿って移動し、前記ラッチ（２３）の背面の底面にバネ環体（２７）が形成され、前記施錠プレート（３６）の底面にバネ環体体（３７）が形成されてバネ（３７ａ）がそれぞれ取着されて施錠プレート（３６）の固定部（３６ｂ）が上下に弾力的に移動自在になることを特徴とする請求項１に記載の冷凍冷蔵庫の扉用施解錠装置。
【請求項６】
前記回転カム（３４）は、回転突起（３５）の内側に傾斜面（３５ｃ）を形成し、前記施錠プレート（３６）の固定部（３６ｂ）の両側面にラウンド部を形成して回転突起（３５）の傾斜面（３５ｃ）が固定部（３６ｂ）のラウンド部を押し付ける動作により固定部（３６ｂ）の底面が回転カム（３４）の上部に移動してラッチ（２３）の施錠状態を解錠し、前記固定部（３６ｂ）の底面には回転カム（３４）のガイド突起（３５ｂ）と係合するようにガイド溝（３６ｃ）が形成され、前記ガイド突起（３５ｂ）及びガイド溝（３６ｃ）は「∧」字状を呈することを特徴とする請求項１に記載の冷凍冷蔵庫の扉用施解錠装置。
【請求項７】
前記施錠手段（３０）のキースピンドル（３８）は、上部にキーが嵌め込まれ、下端部は外部ケース（１６）の内部に嵌め込まれ、前記キースピンドル（３８）の底面にキーハウジング（３９）がボルトで固定されて一体に回転し、前記キーハウジング（３９）の底面の中央に施錠突起（３９ａ）が突出されて施錠プレート（３６）の押圧部（３６ａ）を押し込んで解放してラッチ（２３）の作動を制御することを特徴とする請求項１に記載の冷凍冷蔵庫の扉用施解錠装置。
【請求項８】
前記外部ケース（１６）の上板に透明窓（５１）が取着され、前記キースピンドル（３８）の施解錠状態に応じて透明窓（５１）の内部に形成された解錠表示部（５３）と施錠表示部（５４）の色相のうちのどちらか一方の色相が選択的に表示されると、透明窓（５１）を介して露出される色相を作業者が目視できるようにキー施錠及び解錠表示手段（５０）をさらに備えることを特徴とする請求項１に記載の冷凍冷蔵庫の扉用施解錠装置。
【請求項９】
前記キー施錠及び解錠表示手段（５０）は、外部ケース（１６）の上板に透明な材質の透明窓（５１）が取着され、前記透明窓（５１）の底面には解錠表示部（５３）及び施錠表示部（５４）からなる施錠及び解錠表示部材（５２）が配設されて左右に摺動され、前記施錠及び解錠表示部材（５２）の底面には連結フレーム（５５）を取着するが、前記連結フレーム（５５）の一方の端は外部ケース（１６）の柱（１８）にボルトで固定され、他方の端はキーハウジング（３９）の周面に形成された係合突起（３９ｂ）と係合してキースピンドル（３８）及びキーハウジング（３９）の回転につれて連結フレーム（５５）も回転しながら施錠及び解錠表示部材（５２）の運動を直線運動に変換して透明窓（５１）に解錠表示部（５３）及び施錠表示部（５４）が選択的に露出されることを特徴とする請求項８に記載の冷凍冷蔵庫の扉用施解錠装置。
【請求項１０】
前記外部ハンドル（２１）の先端部が外部ケース（１６）の背面の上部と一体に係合して錠（６４）で固定されるように施鍵手段（６０）をさらに備えることを特徴とする請求項１に記載の冷凍冷蔵庫の扉用施解錠装置。
【請求項１１】
前記施鍵手段（６０）は、外部ハンドル（２１）の先端部の内側に収容溝（６１）を形成し、前記外部ケース（１６）の背面の上部に収容突出部（６２）を突設して収容溝（６１）と収容突出部（６２）とを係合し、前記収容溝（６１）及び収容突出部（６２）の内側に施錠孔（６３）を形成して錠（６４）で固定可能なようにすることを特徴とする請求項１０に記載の冷凍冷蔵庫の扉用施解錠装置。
【発明の詳細な説明】
【技術分野】
【０００１】
本発明は、冷凍冷蔵庫の扉用施解錠装置に係り、さらに詳しくは、冷凍冷蔵庫の扉の表面にボルトで固定される内部ケースが取り外せないように外部ケースの結合構造を改善するとともに、外部ハンドルと一緒に作動するラッチ及び回転カムを有する開閉手段及び解錠手段の全体的な体積及び部品点数を最小化して組立て工程及び設置作業が手軽に行える冷凍冷蔵庫の扉用施解錠装置に関する。
【背景技術】
【０００２】
一般に、冷凍冷蔵庫は、冷蔵及び冷凍が求められる物品などを一時的にまたは長期的に安全に保管して腐敗を防ぐために用いられており、扉パネルには扉用施解錠装置が設けられている。
【０００３】
扉用施解錠装置は、扉パネルにケースを取り付け、このケースにピン軸で連結されるハンドルに作動レバーが取着されて前記作動レバーの一方の端がラッチと連結され、前記ラッチは弾性バネにより支持されて往復動可能であり、前記ケースの両側には扉パネルにボルトやリベットで固定するための固定孔がフレームに形成されており、ケースの底面には底板が複数のボルトで組み付けられている。
【０００４】
例えば、下記の特許文献１には、扉パネル１に内部ケース１１がボルトで固定されるように両側面に固定フレーム１２が形成され、前記内部ケース１１の側面の上部にリベット孔１３及び軸孔１４が形成され、前記内部ケース１１の底面に底面フレーム１５がボルトで固定され、前記底面フレーム１５の背面の中央にカム嵌入孔１６が形成され、前記内部ケース１１の外周縁に外部ケース１９が係合されるケース１０と、前記内部ケース１１の軸孔１４に外部ハンドル２１の一方の端が嵌め込まれて中心軸２４に固定され、前記外部ハンドル２１の内部にガイド部材２２及び作動レバー２３がこの順に嵌め込まれて一方の端は中心軸２４に係合し、他方の端は外部ハンドル２１に係合する連動軸２５に係合し、前記作動レバー２３の下端にラッチ２６及び作動プレート２７を配設して前記外部ハンドル２１及び作動レバー２３の作動によりラッチ２６及び作動プレート２７が前面及び背面に往復動する開閉手段２０と、前記底面フレーム１５の内側には施錠プレート３１の一方の端がボルトで固定され、前記施錠プレート３１の他方の端には押圧部３３がバネＳの弾性力により昇降しながらラッチ２６の作動を制御し、前記押圧部３３の上部には内部ケース１１の上部に取着された錠３４が前記施錠プレート３１の押圧部３３を押し込んで解放する施錠手段３０と、前記扉パネル１の背面に内部ハンドル４１が取着された筐体４２がボルトで固定され、前記内部ハンドル４１に係合された回転軸４３の一方の端が前記底面フレーム１５のカム嵌入孔１６を貫通して先端部に回転カム４４が嵌め込まれ、前記回転カム４４の上部外周縁に回転突起４６が両側に突出されて前記作動プレート２７の一方の端が固定され、前記回転軸４３及び回転カム４４が回転すると、作動プレート２７がラッチ２６を引っ張って外部ハンドル２１の施錠状態を解錠する解錠手段４０と、を備える冷凍冷蔵庫の扉用施解錠装置が開示されているが、同冷凍冷蔵庫の扉用施解錠装置は、全体的な結合構造が複雑であり、しかも、取付け及び取り外し作業を行うことが困難であるため生産性が低下するという欠点がある。
【０００５】
従来の扉用施解錠装置は、内部ケース及び外部ケースがリベットＲで固定されているため、他人がリベットを強制的に取り外す場合に外部ケースが内部ケースから取り外されてしまうという問題がある。
【０００６】
従来の扉用施解錠装置は、外部ハンドルに取着されるガイド部材及び作動レバーの構成とラッチに取着される作動プレートの構成が複雑であるため組立てに難点があり、施錠プレートの係止片がラッチの係止爪に強固に固定された状態を維持することが困難である他、施錠プレートを支持するバネの弾性力が低下したりバネが引き抜かれたりする場合にラッチの施錠状態が解錠されるなどの問題がある。
【０００７】
従来の扉用施解錠装置は、全体的に組み立て難さ及びメンテナンスし難さを有するため製品のコスト及びメンテナンス費用が高騰するという問題がある。
【先行技術文献】
【特許文献】
【０００８】
【特許文献１】大韓民国特許公報第１０−１０１２８１４号
【発明の概要】
【発明が解決しようとする課題】
【０００９】
本発明は上述した従来の問題を解消するために案出されたものであり、その目的は、安価に製作可能なように内部ケースと外部ケースとの係合構造を改善するとともに、冷凍冷蔵庫の扉を開閉する開閉手段及び解錠手段の全体的な体積及び部品点数を最小化して組立て工程及び設置作業が手軽に行え、しかも、部品の取り替え及びメンテナンス作業が手軽に行える冷凍冷蔵庫の扉用施解錠装置を提供することである。
【００１０】
本発明の他の目的は、冷凍冷蔵庫の扉の表面にボルトで固定される内部ケースの両側面に固定突起が突出されて外部ケースの前面の内側に形成された固定溝に嵌着され、外部ケースの背面の内側に形成された係止突起が内部ケースの係止溝に強固に固定されて内部ケースが外部に露出されることを防ぎながらも、内部ケースが取り外せないようにした冷凍冷蔵庫の扉用施解錠装置を提供することである。
【００１１】
本発明のさらに他の目的は、開閉手段及び解錠手段のラッチに固定される施錠プレートの固定部が回転カムの施錠溝に挿抜される作動関係を最小化してラッチが速やかに開かれるようにし、内部ケースの内側にはガイド板を形成してラッチが移動するときに施錠プレートが捻れることを未然に防ぐようにした冷凍冷蔵庫の扉用施解錠装置を提供することである。
【００１２】
本発明のさらに他の目的は、外部ケースの上板に透明窓を取着し、透明窓の内部にキー施錠及び解錠表示手段を配設してラッチが解錠された状態である場合に透明窓の底面に解錠表示部の色相が外部に露出され、ラッチが施錠された状態である場合に施錠表示部の色相が透明窓を介して外部に露出されて作業者がそれぞれの色相を手軽に目視して外部ハンドル及びラッチの施錠状態を確認するようにした冷凍冷蔵庫の扉用施解錠装置を提供することである。
【課題を解決するための手段】
【００１３】
上記の本発明の諸目的を達成するために、本発明に係る冷凍冷蔵庫の扉用施解錠装置は、扉にボルトで固定されるように内部ケースの底面に底板がボルトで固定されて内部を密閉させ、前記内部ケースの両側面に形成された固定フレームの前面に固定突起が突出され、前記内部ケースの背面の内側には係止溝が形成され、前記扉に固定された内部ケースを外部から強制的に取り外せないように外部ケースを係合するが、前記外部ケースの内側に形成された固定溝に内部ケースの固定突起が嵌着され、前記外部ケースの背面の内側に形成された係止突起が内部ケースの係止溝に固定されるケースと、前記内部ケースに外部ハンドルの前面に形成された作動レバーの一方の端がヒンジ軸により固定され、前記外部ハンドルの他方の端は外部ケースの背面に延び、前記内部ケースと底板との間にラッチが配設され、前記ラッチの背面に係合されたヒンジ軸に外部ハンドルの作動レバーが密着されてヒンジ軸及びラッチを背面に移動させて扉を開扉する開閉手段と、前記底板の背面の内側に固定プレートが嵌め込まれ、前記固定プレートの背面に押付誘導突起が上部に突出され、前記固定プレートの内側に回転カムの底面が貫通して底板の下端に突出され、前記回転カムの前面の両側には回転突起が形成されて固定プレートを底板に密着させ、前記回転突起の中央に形成された施錠溝にガイド突起が前面に延び、前記ラッチのヒンジ軸に施錠プレートが固定されて前面に形成された押圧部のシーソー作動により背面に形成された固定部が回転カムの施錠溝に挿抜され、前記外部ケースの上板にキースピンドルとキーハウジングが係合してキーハウジングの底面に突出された施錠突起が押圧部を押し込んで解放する施錠手段と、前記底板に突出された回転カムの内部に内部ハンドルの回転軸が嵌め込まれ、前記内部ハンドルを回転させると、回転カムの回転突起が施錠プレートの固定部を持ち上げて固定部がガイド突起から引き抜かれながら回転カムの回転突起が押付誘導突起を背面に押し付ける動作によりラッチの施錠状態を解錠する解錠手段と、を備えることを特徴とする。
【００１４】
本発明の外部ケースには透明窓を取着して、キースピンドル及びラッチの施解錠状態を透明窓を介して作業者が目視するようにキー施錠及び解錠表示手段をさらに配設する。
【発明の効果】
【００１５】
以上述べたように、本発明によれば、冷凍冷蔵庫の扉の表面にボルトで固定される内部ケースと外部ケースとの係合構造を改善して内部ケースが取り外せないという効果と、扉を開閉する開閉手段及び解錠手段の全体的な体積及び部品点数を最小化して製品のコストを節減するとともに、組立て工程及び設置作業が手軽に行えて製品の生産性を向上させることができるという効果がある。
【００１６】
本発明によれば、内部ケースの両側面に固定突起が突出されて外部ケースの前面の内側に形成された固定溝に簡単に嵌抜され、外部ケースの背面の内側に突出された係止突起が内部ケースの背面に形成された係止溝に強固に固定されて内部ケースが外部に露出されることを防ぎながら外部ケースが内部ケースの全体を取り囲みながら外観の見栄えがよくなるという効果がある。
【００１７】
本発明によれば、開閉手段及び解錠手段のラッチに固定される施錠プレートの固定部が回転カムの施錠溝に挿抜される過程で回転カムの回転突起に傾斜面を形成して回転突起が固定部の側面を押し付ける動作により固定部が回転カムの上部に持ち上げられながらラッチの施錠状態が速やかに解錠できるように作動関係の部品点数を最小化することができるという効果と、内部ケースが内側にガイド板を形成してラッチの作動時に施錠プレートが捻れることを防ぐことができるという効果がある。
【００１８】
本発明によれば、外部ケースの上板に透明窓を取着して、透明窓の内部に形成されたキー施錠及び解錠表示手段が左右に作動しながらラッチが解錠された状態である場合に透明窓の底面に解錠表示部の色相が外部に露出され、ラッチが施錠された状態である場合に施錠表示部の色相が透明窓を介して外部に露出されて作業者がそれぞれの色相を容易に目視してラッチが施錠された状態でむりやりに外部ハンドルを引っ張って外部ハンドルが破損されることを未然に防ぐことができるという効果がある。
【００１９】
大型の冷凍冷蔵庫の場合、随時に大勢の人々が往来するため個別的にキーを携行し、この場合、多忙なスケジュールによりキースピンドルのキーが施錠状態であるか、あるいは、解錠状態であるかをうっかり忘れて物品が盗まれることが頻繁に起こるが、本発明によれば、透明窓に表示される色相を目視してキースピンドルのキーが解錠されていることを認知して直ちにキーを施錠状態に切り換えることができるという効果がある。
【図面の簡単な説明】
【００２０】
【図１】本発明に係る扉用施解錠装置の取り外し状態を示す斜視図である。
【図２】本発明に係る扉用施解錠装置の取り付け状態を示す斜視図である。
【図３】本発明に係る扉用施解錠装置のラッチが施錠された状態の断面図である。
【図４】本発明に係る施錠プレートが解錠された状態の断面図である。
【図５】本発明に係る扉用施解錠装置のラッチが解錠された状態の断面図である。
【図６】本発明のキー施錠及び解錠表示手段を示す分離状態の斜視図である。
【図７】図６における係合状態の断面図である。
【図８】本発明に係るキー施錠及び解錠表示手段の解錠表示部が透明窓に覗かれる底面作動状態図である。
【図９】本発明に係るキー施錠及び解錠表示手段の施錠表示部が透明窓に覗かれる底面作動状態図である。
【発明を実施するための形態】
【００２１】
以下、添付図面に基づき、本発明の好適な実施形態について詳述する。
【００２２】
図１から図９を参照すると、冷凍冷蔵庫扉の表面に固定される内部ケース１１の底面には底板１４が取着され、外側には外部ケース１６が取着されるケース１０と、前記内部ケース１１に取着される外部ハンドル２１の作動によりラッチ２３が後進及び前進しながら扉を開閉する開閉手段２０と、前記ラッチ２３の背面に配設された施錠プレート３６の固定部３６ｂが底板１４及び固定プレート３１に配設された回転カム３４の施錠溝３５ａに密着されてラッチ２３を施錠状態に切り換える施錠手段３０と、前記回転カム３４に形成された回転突起３５が固定部３６ｂを押し付ける動作により固定部３６ｂが回転カム３４の施錠溝３５ａから引き抜かれながら回転突起３５と密着される固定プレート３１の押付誘導突起３２が背面に移動しながらラッチ２３の施錠状態を解錠する解錠手段４０と、を備える。
【００２３】
冷凍冷蔵庫の扉の表面に配設されるケース１０は、扉にボルトで固定されるように内部ケース１１の両側面に固定フレーム１２を形成し、前記固定フレーム１２の内側にはボルト孔１２ａを形成して内部ケース１１を扉に固定し、前記固定フレーム１２の前面には固定突起１２ｂが突出されて後述する外部ケース１６の固定溝１６ａに嵌合され、前記内部ケース１１の背面の内側には係止溝１２ｃを形成して後述する外部ケース１６に形成された係止突起１６ｂが係合して外部から内部ケース１１を強制的に取り外せないように係合する。
【００２４】
前記内部ケース１１の前面には側面フレーム１３が上部に突出されており、前記側面フレーム１３は前面及び底面が開かれて前面には後述するラッチ２３の係止金具２４が嵌め込まれて前面に突出され、底面には底板１４が取着されて内部を密閉させ、前記側面フレーム１３の背面の上端部にヒンジ軸Ｈを係合するが、前記側面フレーム１３とヒンジ軸Ｈとの間には後述する外部ハンドル２１の前面が軸に係合して回転し、前記ヒンジ軸Ｈの下端部に配設される側面フレーム１３の内側にはガイド板１３ａが内側に突出されて後述するラッチ２３に係合する施錠プレート３６が捻れることを防ぎ、前記側面フレーム１３の前面の内側にはバネ支持板１３ｂが下端部に突出されて後述する弾性バネ２５の背面がバネ支持板１３ｂの前面に密着された状態を維持し、前記バネ支持板１３ｂの前面に配設される側面フレーム１３の内側に摺動板１７が配設されて後述するラッチ２３の係止金具２４が密着されて摺動時に摩擦力を極力抑える。
【００２５】
前記内部ケース１１の底面にボルトにより締め付けられる底板１４は、背面の内側に載置部１５が形成されて後述する固定プレート３１が嵌め込まれて摺動しながら直線往復動し、前記載置部１５の内側にはカム孔１５ａが穿孔されて後述する回転カム３４が下端部が嵌め込まれて突出され、前記カム孔１５ａの前面には支持突起１５ｂが上部に突出されて後述する施錠プレート３６の固定部３６ｂの底面を支持して固定部３６ｂが載置部１５から離れた状態を維持する。
【００２６】
前記内部ケース１１及び外部ケース１６に取着される開閉手段２０は、内部ケース１１及び外部ケース１６の内側に外部ハンドル２１の前面が嵌め込まれながら背面は外部ケース１６の背面に延び、前記外部ハンドル２１の前面に形成された作動レバー２２の一方の端が側面フレーム１３にヒンジ軸Ｈにより固定されて回転作動し、前記内部ケース１１及び底板１４の内側にはラッチ２３が配設されて外部ハンドル２１の作動により前進及び後進しながら扉を開閉し、前記ラッチ２３の前面には係止金具２４が延びて側面フレーム１３の前面に突出され、前記係止金具２４の前面の内部には弾性バネ２５の前面が密着され、弾性バネ２５の背面は側面フレーム１３のバネ支持板１３ｂに密着されてラッチ２３の係止金具２４が側面フレーム１３の前面に突出された状態を維持し、前記ラッチ２３の背面には後述する施錠プレート３６が固定されるようにヒンジ軸Ｈが係合し、前記ヒンジ軸Ｈには外部ハンドル２１の作動レバー２２が密着されて外部ハンドル２１を引っ張ると、作動レバー２２がヒンジ軸Ｈを押し付けてラッチ２３が背面に移動され、ヒンジ軸Ｈが係合するラッチ２３の底面には移動突起２６が下端部に突出されて後述する固定プレート３１の第１の移動溝３３に嵌め込まれて第１の移動溝３３に沿って摺動する。
【００２７】
前記ラッチ２３の作動を司る施錠手段３０は、前記底板１４の載置部１５に固定プレート３１が嵌め込まれて摺動し、前記固定プレート３１の背面には押付誘導突起３２が上部に突出されて後述する回転カム３４の回転突起３５背面と密着され、前記固定プレート３１の前面の両側面には第１の移動溝３３が形成されて内部にラッチ２３の移動突起２６が嵌め込まれて摺動し、前記第１の移動溝３３の内側には第２の移動溝３３ａが押付誘導突起３２が形成された部分まで延設され、前記第２の移動溝３３ａには底板１４の支持突起１５ｂが嵌め込まれて固定プレート３１が支持突起１５ｂを基準として摺動し、前記第２の移動溝３３ａの背面の内側には回転カム３４の下端部が嵌め込まれて底板１４のカム孔１５ａを貫通して突出され、前記回転カム３４の前面の両側には回転カム３４の外径よりも大きく回転突起３５が前面に突出されて固定プレート３１の上端部と密着されながら固定プレート３１が底板１４と密着されて固定プレート３１が底板１４から引き抜かれることを防ぎ、前記回転突起３５と回転突起３５との間には施錠溝３５ａが形成されながら中央の前面にガイド突起３５ｂが延設されて後述する施錠プレート３６の固定部３６ｂに形成されたガイド溝３６ｃと係合してガイド溝３６ｃがガイド突起３５ｂに沿って移動する。
【００２８】
前記ラッチ２３の背面に係合するヒンジ軸Ｈの内側には施錠プレート３６が取着されており、前記施錠プレート３６の前面には押圧部３６ａが前面に突出されており、背面には固定部３６ｂが突出されて底板１４に形成された支持突起１５ｂにより固定プレート３１から離れた状態を維持しながら支持突起１５ｂに支持されており、前記固定部３６ｂの底面にはガイド溝３６ｃが形成されて回転カム３４のガイド突起３５ｂと密着されてラッチ２３の後進時に固定部３６ｂのガイド溝３６ｃがガイド突起３５ｂに沿って移動していて、回転カム３４の上部に移動しながらラッチ２３の施錠状態が解錠され、前記ラッチ２３は最初に施錠プレート３６の固定部３６ｂが回転カム３４の施錠溝３５ａに密着されてラッチ２３の移動が制限され、このとき、外部ケース１６の上板に取着されたキースピンドル３８の作動によりラッチ２３の施解錠状態を維持するが、前記キースピンドル３８の下部にはキーハウジング３９が取着され、前記キーハウジング３９の下端部の中央には施錠突起３９ａが突出されて押圧部３６ａを押し込んで解放して施錠プレート３６の固定部３６ｂが回転カム３４の施錠溝３５ａに挿抜される過程を繰り返し行う。
【００２９】
一方、回転カム３４の回転突起３５の内側には傾斜面３５ｃを形成し、固定部３６ｂの両側面にはラウンド部を形成して回転突起３５が回転しながら傾斜面３５ｃが固定部３６ｂのラウンド部を押し付ける動作により施錠プレート３６の固定部３６ｂが上部に持ち上げられながら施錠溝３５ａから引き抜かれてラッチ２３の施錠状態を速やかに解錠することができ、前記ガイド突起３５ｂ及びガイド溝３６ｃは「∧」字状を呈して円滑に摺動可能なようにし、前記ラッチ２３の背面の底面にはバネ環体２７が形成されており、前記施錠プレート３６の底面にバネ環体３７を形成してバネ３７ａにより係合して施錠プレート３６が上下にシーソー作動しながら施錠プレート３６の固定部３６ｂが施錠溝３５ａから引き抜かれた後にバネ３７ａの弾性力により元の位置に戻るようにする。
【００３０】
前記ラッチ２３の施錠状態を解錠する解錠手段４０は、前記底板１４の底面に突出された回転カム３４の内側に内部ハンドル４１の回転軸４２が取着され、前記内部ハンドル４１を回転させると、回転軸４２及び回転カム３４が回転しながら回転カム３４の回転突起３５が施錠プレート３６の固定部３６ｂを押し付けながら固定部３６ｂが施錠溝３５ａから引き抜かれ、このとき、回転突起３５が回転しながら固定プレート３１の押付誘導突起３２を背面に押し付ける動作により固定プレート３１が載置部１５において摺動しながら背面に移動するとともに、第１の移動溝３３に係合されたラッチ２３の移動突起２６を引っ張ってラッチ２３が背面に移動して施錠状態が解錠されて扉を開き、  冷凍冷蔵庫の内部に人間が閉じ込まれる場合に内部ハンドル４１を回転させて扉を開く。
【００３１】
前記外部ケース１６の上板には透明窓５１を取着し、透明窓５１の底面にはキー施錠及び解錠表示手段５０を取着して作業者がキースピンドル３８の施錠及び解錠された状態を確認しなくても透明窓５１を介して外部に露出される色相を認識してキースピンドル３８の施錠及び解錠状態を目視してキースピンドル３８が施錠された状態でむりやりに外部ハンドル２１を強制的に引っ張る過程で外部ハンドル２１が破損されることを未然に防ぐことができる。
【００３２】
前記キー施錠及び解錠表示手段５０は、前記外部ケース１６の上板に透明な材質の透明窓５１を取着し、前記透明窓５１の底面には解錠表示部５３及び施錠表示部５４を有する施錠及び解錠表示部材５２が配設されて左右に摺動し、前記施錠及び解錠表示部材５２の底面には連結フレーム５５を取着するが、前記連結フレーム５５の一方の端は外部ケース１６の内側に形成された柱１８にボルトで固定し、他方の端はキーハウジング３９の周面に形成された係合突起３９ｂと係合して、キースピンドル３８及びキーハウジング３９の回転につれて連結フレーム５５も回転しながら施錠及び解錠表示部材５２の運動を直線運動に変換して透明窓５１に解錠表示部５３及び施錠表示部５４が選択的に露出され、前記解錠表示部５３は赤色に形成してキースピンドル３８及びラッチ２３が解錠された状態を示し、施錠表示部５４は緑色に形成してキースピンドル３８及びラッチ２３が施錠された状態を示して、作業者は透明窓５１を介して外部に露出される色相を手軽に目視することができる。
【００３３】
前記外部ハンドル２１及び外部ケース１６には別途の施鍵手段６０をさらに配設するが、前記施鍵手段６０は、外部ハンドル２１の先端部の内側に収容溝６１を形成し、前記外部ケース１６の背面の上部に収容突出部６２を突設して収容溝６１と収容突出部６２とを係合し、前記収容溝６１及び収容突出部６２の内側に施錠孔６３を形成して錠６４で固定する。
【００３４】
このような構成を有する本発明に係る冷凍冷蔵庫の扉用施解錠装置は、下記のように作動される。
【００３５】
大型の冷凍冷蔵庫の場合、随時に大勢の人々が往来するため個別的にキーを携行し、この場合、多忙なスケジュールによりキースピンドル３８のキーを差し込んで随時に施解錠状態を繰り返さなければ、物品の盗難事故を未然に防ぐことができないという煩雑さがあったが、本発明は、作業者が冷凍冷蔵庫の扉を開くためにキースピンドル３８にキーを差し込んで回転させるとキーハウジング３９が回転し、このとき、キーハウジング３９に形成された施錠突起３９ａが施錠プレート３６の押圧部３６ａを押し込みながら固定部３６ｂが回転カム３４の施錠溝３５ａから引き抜かれてラッチ２３の施錠状態を解錠することができる。
【００３６】
前記ラッチ２３の施錠状態が解錠されると、外部ハンドル２１が開かれながら上部に持ち上げられ、このとき、外部ハンドル２１の作動レバー２２がラッチ２３と一緒に固定された回転軸Ｈを背面に移動させながらラッチ２３の移動突起２６が固定プレート３１の第１の移動溝３３に沿って摺動してラッチ２３の係止金具２４が扉の側面に形成されるキャッチャ（図示せず）から引き抜かれて扉を開く。
【００３７】
一方、冷凍冷蔵庫の扉が開かれて物品を移動させる過程で作業者がキースピンドル３８の施錠状態を一々に確認することができないため、キースピンドル３８が施錠されている状態で外部ハンドル２１を強制的に引っ張ることが頻繁に発生し、これに伴い、外部ハンドル２１の作動レバー２２またはラッチ２３の回転軸Ｈが破損されて扉を開くことができないという問題があったが、本発明は、外部ケース１６の上板に取着された透明窓５１を介してキー施錠及び解錠表示手段５０の色相を作業者が目視してキースピンドル３８の施解錠状態を速やかに確認することができるという特徴がある。
【００３８】
前記透明窓５１を介して赤色の解錠表示部５３の色相が露出される場合、ラッチ２３及び外部ハンドル２１の施錠状態が解錠されているため、作業者は別途にキースピンドル３８にキーを差し込んでラッチ２３及び外部ハンドル２１の施錠作業を行う必要がなく、前記透明窓５１を介して緑色の施錠表示部５４の色相が露出される場合、ラッチ２３及び外部ハンドル２１が施錠状態を維持していることを容易に認識することができ、特に、遠くからも透明窓５１を介して露出される色相を容易に認識することができるので、多忙なスケジュールにより外部ハンドル２１の施錠状態をうっかり忘れてもこれを速やかに訂正することができるという特徴がある。
【００３９】
前記冷凍冷蔵庫の作業が完了して扉を施錠状態に切り換える場合、キースピンドル３８にキーを差し込んで回転させると、キーハウジング３９の施錠突起３９ａが押圧部３６ａから引き抜かれながら施錠プレート３６の固定部３６ｂが回転カム３４の施錠溝３５ａに密着されてラッチ２３が移動できなくなってラッチ２３及び外部ハンドル２１が一緒に固定された状態を維持しながら透明窓５１には緑色の施錠表示部５４の色相が外部に露出される。
【００４０】
前記透明窓５１に表示される色相は様々であり、前記解錠表示部５３及び施錠表示部５４の色相に夜光層をさらに形成して夜間にも認識し易いようにし、前記キー施錠及び解錠表示手段５０はキーハウジング３９が回転するにつれてキーハウジング３９の係合突起３９ａに係合された連結フレーム５５も回転するが、前記連結フレーム５５の反対側は外部ケース１６の内側に形成された柱１８にボルトで固定され、ボルトで固定される連結フレーム５５の内側には摺動溝が形成されてボルトを基準として連結フレーム５５の摺動溝が左右に移動するにつれてキーハウジング３９も回転され、前記連結フレーム５５の上部に取着される施錠及び解錠表示部５２の場合も、連結フレーム５５の上部に形成された突起が施錠及び解錠表示部５２の底面に形成された摺動溝に沿って移動しながら施錠及び解錠表示部５２が左右に直線往復動する。
【００４１】
一方、前記冷凍冷蔵庫の内部に人々が閉じ込まれる場合、作業者は扉の内側に固定されている内部ハンドル４１を回転させると、内部ハンドル４１の回転軸４２及び回転カム３４が一緒に回転し、このとき、回転カム３４の回転突起３５が固定プレート３１の押付誘導突起３２を背面に押し付ける動作により固定プレート３が底板１４の載置部１５において摺動しながら固定プレート３１の第１の移動溝３３に係合された移動突起２６を背面に引っ張ってラッチ２３を背面に移動させて施錠状態を解錠する。
【００４２】
前記ラッチ２３の施錠状態が解錠される過程で回転カム３４の回転突起３５に形成された傾斜面３５ａが固定部３６ｂの底面を丸めたラウンド部を押し付けると、固定部３６ｂが施錠溝３５ａから引き抜かれることに伴い、固定部３６ｂのガイド溝３６ｃがガイド突起３５ｂからも引き抜かれてラッチ２３の施錠状態が解錠される。
【００４３】
冷凍冷蔵庫の扉が開かれると、前記ラッチ２３は弾性バネ２５の弾性力により元の位置に戻り、前記ラッチ２３が内部ケース１１の内部において摺動するときに摩擦力を極力抑えるように内部ケース１１と係止金具２４との間には摺動板１７が形成されている。
【００４４】
前記外部ケース１６は内部ケース１１の外側の全体を取り囲むように形成されて外部から内部ケース１１を強制的に取り外すことができないという特徴があり、さらに、透明窓５１を介して外部ハンドル２１及びラッチ２３の施錠状態を手軽に認識することができるため、外部ハンドル２１を強制的に引っ張る過程で部品が破損されることを防ぐことができ、前記外部ハンドル２１の先端部に形成された収容溝６１が外部ケース１６の先端部に形成された収容突出部６２に嵌め込まれて錠６４を施錠孔６３に固定すると、二重に施解錠装置を活用することができるという特徴がある。
【００４５】
上述した本発明に係る冷凍冷蔵庫の扉用施解錠装置は、上述した実施形態に何ら限定されるものではなく、以下の特許請求の範囲において請求する本発明の要旨から逸脱することなく本発明が属する技術分野において通常の知識を有する者であれば誰でも種々に変更して実施可能な範囲までその技術的精神がある。
【符号の説明】
【００４６】
１０：ケース
１１：内部ケース
１２：固定フレーム
１２ａ：ボルト孔
１２ｂ：固定突起
１２ｃ：係止溝
１３：側面フレーム
１３ａ：ガイド板
１３ｂ：バネ支持板
１４：底板
１５：載置部
１５ａ：カム孔
１５ｂ：支持突起
１６：外部ケース
１６ａ：固定溝
１６ｂ：係止突起
１７：摺動板
１８：柱
２０：開閉手段
２１：外部ハンドル
２２：作動レバー
２３：ラッチ
２４：係止金具
２５：弾性バネ
２６：移動突起
２７：バネ環体
３０：施錠手段
３１：固定プレート
３２：押付誘導突起
３３：第１の移動溝
３３ａ：第２の移動溝
３４：回転カム
３５：回転突起
３５ａ：施錠溝
３５ｂ：ガイド突起
３５ｃ：傾斜面
３６：施錠プレート
３６ａ：押圧部
３６ｂ：固定部
３６ｃ：ガイド溝
３７：バネ環体
３７ａ：バネ
３８：キースピンドル
３９：キーハウジング
３９ａ：施錠突起
３９ｂ：係合突起
４０：解錠手段
４１：内部ハンドル
４２：回転軸
５０：キー施錠及び解錠表示手段
５１：透明窓
５２：施錠及び解錠表示部材
５３：解錠表示部
５４：施錠表示部
５５：連結フレーム
６０：施鍵手段
６１：収容溝
６２：収容突出部
６３：施錠孔
６４：錠
【図１】
0005988118.tif 000002
【図２】
0005988118.tif 000003
【図３】
0005988118.tif 000004
【図４】
0005988118.tif 000005
【図５】
0005988118.tif 000006
【図７】
0005988118.tif 000007
【図６】
0005988118.tif 000008
【図８】
0005988118.tif 000009
【図９】
0005988118.tif 000010